【手続補正書】
【提出日】平成18年12月6日(2006.12.6)
【手続補正１】
【補正対象書類名】特許請求の範囲
【補正対象項目名】全文
【補正方法】変更
【補正の内容】
【特許請求の範囲】
【請求項１】
複数種類の用紙をセット可能であり用紙交換指示を表示する画像形成装置であって、
情報処理装置から送信される印刷ジョブを処理するために必要な用紙種類の使用順番を取得する第１の取得手段と、
前記画像形成装置にセットされている用紙種類情報を取得する第２の取得手段と、
前記第１の取得手段によって取得された用紙種類の使用順番と前記第２の取得手段によって取得された前記用紙種類情報とに基づいて、前記画像形成装置に新たな用紙種類をセットすべきか否かを判定する第１の判定手段と、
前記第１の判定手段が新たな用紙種類をセットすべきと判定した場合、前記第１の取得手段によって取得された用紙種類の使用順番に基づいて、前記新たな用紙種類がセットされる際に使用されない用紙種類から、前記新たな用紙種類との交換対象となる用紙種類を選択する選択手段と、
前記選択手段で選択された用紙種類と新たな用紙種類との交換指示を表示する表示制御手段と
を備えたことを特徴とする画像形成装置。
【請求項２】
前記表示制御手段により表示される情報とは、前記画像形成装置にセットされていない当該印刷ジョブを処理するために必要な用紙種類と前記画像形成装置にセットされている用紙種類とを交換するためのタイミングを示す情報を含む
ことを特徴とする請求項１に記載の画像形成装置。
【請求項３】
前記判定手段により使用すべき用紙種類が前記画像形成装置にセットされていないと判定された場合、前記第１の取得手段によって取得された用紙種類の使用順番から、前記印刷ジョブを処理するために当該画像形成装置に最後にセットされる用紙種類の情報を設定する最終情報設定手段と、
前記画像形成装置にセットされていない用紙種類を用いて印刷を実行する前に印刷される用紙情報である第１の情報を取得する第３の取得手段と、
前記第３の取得手段によって取得された第１の情報から、前記最終情報設定手段によって設定された情報に対応する用紙以外で、前記画像形成装置にセットされていない用紙種類を用いて印刷を実行した後に印刷されない用紙の情報である第２の情報があるか否かを判定する第２の判定手段とをさらに備え、
前記選択手段は、前記第２の判定手段によって前記第２の情報があると判定された場合、前記第２の情報に対応する用紙を前記新たな用紙種類との交換対象となる用紙種類として選択する
ことを特徴とする請求項１または２に記載の画像形成装置。
【請求項４】
前記選択手段は、前記第２の判定手段によって前記第２の情報がないと判定された場合、前記第３の取得手段によって取得された第１の情報に対応する用紙種類のうちで、前記画像形成装置にセットされていない用紙種類を用いて印刷を実行した後に最も遅く使用される用紙種類を前記新たな用紙種類との交換対象となる用紙種類として選択する
ことを特徴とする請求項３に記載の画像形成装置。
【請求項５】
前記選択手段は、前記第１の取得手段によって取得された印刷ジョブを処理するために必要な用紙の使用順番から、前記画像形成装置にセットされていない用紙種類の印刷前に印刷される用紙種類の情報を特定し、当該特定した情報から前記画像形成装置にセットされていない用紙種類を用いて印刷を実行する直前に印刷される用紙の情報を除いて前記新たな用紙種類との交換対象となる用紙種類を選択する
ことを特徴とする請求項１乃至４のいずれか１項に記載の画像形成装置。
【請求項６】
前記選択手段は、用紙を交換すべきタイミングで前記画像形成装置にセットされていない複数の用紙種類を交換すべく、交換対象として複数の用紙種類を選択する
ことを特徴とする請求項１乃至５のいずれか１項に記載の画像形成装置。
【請求項７】
前記印刷ジョブには複数の用紙種類を使用することが設定されている
ことを特徴とする請求項１乃至６のいずれか１項に記載の画像形成装置。
【請求項８】
前記表示制御手段が表示する前記画像形成装置にセットされていない使用すべき用紙種類の交換対象情報とは、前記画像形成装置にセットされている用紙種類または前記画像形成装置にセットされていない使用すべき用紙種類を格納するための給紙カセットである
ことを特徴とする請求項１乃至７のいずれか１項に記載の画像形成装置。
【請求項９】
複数種類の用紙をセット可能であり用紙交換指示を表示する画像形成装置であって、
情報処理装置から送信される印刷ジョブデータを処理するために必要な用紙種類の使用順番を取得する第１の取得手段と、
前記画像形成装置にセットされている用紙種類情報を取得する第２の取得手段と、
前記第１の取得手段によって取得された用紙種類の使用順番と前記第２の取得手段によって取得された前記用紙種類情報とに基づいて、新しい用紙種類を前記画像形成装置にセットすべきか否かを判定する判定手段と、
前記判定手段が、新たな用紙種類を前記画像形成装置にセットすべきと判定した場合、前記第１の取得手段によって取得された用紙種類の使用順番に基づいて、前記新たな用紙種類を使用した後に使用されない用紙種類または前記新たな用紙種類を使用した後に最も遅くに使用される用紙種類を特定する特定手段と、
前記特定手段で特定された用紙種類と新たな用紙種類との交換指示を表示する表示手段と
を備えたことを特徴とする画像形成装置。
【請求項１０】
複数種類の用紙をセット可能であり用紙交換指示を表示する画像形成装置の画像形成方法であって、
第１の取得手段が、情報処理装置から送信される印刷ジョブを処理するために必要な用紙種類の使用順番を取得する第１の取得ステップと、
第２の取得手段が、前記画像形成装置にセットされている用紙種類情報を取得する第２の取得ステップと、
第１の判定手段が、前記第１の取得ステップにおいて取得された用紙種類の使用順番と前記第２の取得ステップにおいて取得された前記用紙種類情報とに基づいて、前記画像形成装置に新たな用紙種類をセットすべきか否かを判定する第１の判定ステップと、
前記第１の判定ステップにおいて新たな用紙種類をセットすべきと判定した場合、選択手段が、前記第１の取得ステップにおいて取得された用紙種類の使用順番に基づいて、前記新たな用紙種類がセットされる際に使用されない用紙種類から、前記新たな用紙種類との交換対象となる用紙種類を選択する選択ステップと、
表示制御手段が、前記選択ステップで選択された用紙種類と新たな用紙種類との交換指示を表示する表示制御ステップと
を備えることを特徴とする画像形成方法。
【請求項１１】
前記表示制御ステップにより表示される情報とは、前記画像形成装置にセットされていない当該印刷ジョブを処理するために必要な用紙種類と前記画像形成装置にセットされている用紙種類とを交換するためのタイミングを示す情報を含む
ことを特徴とする請求項１０に記載の画像形成方法。
【請求項１２】
前記判定ステップにより使用すべき用紙種類が前記画像形成装置にセットされていないと判定された場合、最終情報設定手段が、前記第１の取得ステップにおいて取得された用紙種類の使用順番から、前記印刷ジョブを処理するために当該画像形成装置に最後にセットされる用紙種類の情報を設定する最終情報設定ステップと、
第３の取得手段が、前記画像形成装置にセットされていない用紙種類を用いて印刷を実行する前に印刷される用紙情報である第１の情報を取得する第３の取得ステップと、
第２の判定手段が、前記第３の取得ステップにおいて取得された第１の情報から、前記最終情報設定ステップにおいて設定された情報に対応する用紙以外で、前記画像形成装置にセットされていない用紙種類を用いて印刷を実行した後に印刷されない用紙の情報である第２の情報があるか否かを判定する第２判定ステップとをさらに備え、
前記選択ステップにおいては、前記第２の判定ステップにおいて前記第２の情報があると判定された場合、前記第２の情報に対応する用紙を前記新たな用紙種類との交換対象となる用紙種類として選択する
ことを特徴とする請求項１０または１１に記載の画像形成方法。
【請求項１３】
前記選択ステップにおいては、前記第２の判定ステップにおいて前記第２の情報がないと判定された場合、前記第３の取得ステップにおいて取得された第１の情報に対応する用紙種類のうちで、前記画像形成装置にセットされていない用紙種類を用いて印刷を実行した後に最も遅く使用される用紙種類を前記新たな用紙種類との交換対象となる用紙種類として選択する
ことを特徴とする請求項１２に記載の画像形成方法。
【請求項１４】
前記選択ステップにおいては、前記第１の取得ステップにおいて取得された印刷ジョブを処理するために必要な用紙の使用順番から、前記画像形成装置にセットされていない用紙種類の印刷前に印刷される用紙種類の情報を特定し、当該特定した情報から前記画像形成装置にセットされていない用紙種類を用いて印刷を実行する直前に印刷される用紙の情報を除いて前記新たな用紙種類との交換対象となる用紙種類を選択する
ことを特徴とする請求項１０乃至１３のいずれか１項に記載の画像形成方法。
【請求項１５】
前記選択ステップにおいては、用紙を交換すべきタイミングで前記画像形成装置にセットされていない複数の用紙種類を交換すべく、交換対象として複数の用紙種類を選択する
ことを特徴とする請求項１０乃至１４のいずれか１項に記載の画像形成方法。
【請求項１６】
前記印刷ジョブには複数の用紙種類を使用することが設定されている
ことを特徴とする請求項１０乃至１５のいずれか１項に記載の画像形成方法。
【請求項１７】
前記表示制御ステップにおいて表示する前記画像形成装置にセットされていない使用すべき用紙種類の交換対象情報とは、前記画像形成装置にセットされている用紙種類または前記画像形成装置にセットされていない使用すべき用紙種類を格納するための給紙カセットである
ことを特徴とする請求項１０乃至１６のいずれか１項に記載の画像形成方法。
【請求項１８】
複数種類の用紙をセット可能であり用紙交換指示を表示する画像形成装置の画像形成方法であって、
第１の取得手段が、情報処理装置から送信される印刷ジョブデータを処理するために必要な用紙種類の使用順番を取得する第１の取得ステップと、
第２の取得手段が、前記画像形成装置にセットされている用紙種類情報を取得する第２の取得ステップと、
判定手段が、前記第１の取得ステップにおいて取得された用紙種類の使用順番と前記第２の取得ステップにおいて取得された前記用紙種類情報とに基づいて、新しい用紙種類を前記画像形成装置にセットすべきか否かを判定する判定ステップと、
前記判定ステップにおいて、新たな用紙種類を前記画像形成装置にセットすべきと判定した場合、特定手段が、前記第１の取得ステップにおいて取得された用紙種類の使用順番に基づいて、前記新たな用紙種類を使用した後に使用されない用紙種類または前記新たな用紙種類を使用した後に最も遅くに使用される用紙種類を特定する特定ステップと、
表示手段が、前記特定ステップで特定された用紙種類と新たな用紙種類との交換指示を表示する表示ステップと
を備えることを特徴とする画像形成方法。
【請求項１９】
請求項１０乃至１８のいずれかに記載の画像形成方法の各ステップをコンピュータに実行させることを特徴とするプログラム。
【請求項２０】
画像形成装置において処理可能な印刷ジョブデータを作成可能な情報処理装置であって、
前記印刷ジョブデータを用いて使用すべき用紙種類および使用する用紙種類の順番の情報を取得する情報取得手段と、
前記情報取得手段によって取得された使用すべき用紙種類が前記画像形成装置にセットされているか否かを判定する判定手段と、
前記判定手段により使用すべき用紙種類が前記画像形成装置にセットされていないと判定された場合、前記情報取得手段により取得された使用する用紙種類の順番に基づいて前記画像形成装置にセットされていない使用すべき用紙種類の交換対象情報を決定する決定手段と、
前記決定手段により決定された交換対象情報を用いて、前記画像形成装置にセットされていない使用すべき用紙種類を交換する処理を示す情報を表示する表示手段と
を備えたことを特徴とする情報処理装置。
【請求項２１】
前記表示手段により表示される情報とは、前記画像形成装置にセットされていない使用すべき用紙種類から前記画像形成装置にセットされている用紙種類へ交換するためのタイミングを示す情報を含むことを特徴とする請求項２０に記載の情報処理装置。
【請求項２２】
前記判定手段により使用すべき用紙種類が前記画像形成装置にセットされていないと判定された場合、前記情報取得手段によって取得された使用する用紙種類の順番から、前記画像形成装置に最後にセットされる用紙種類の情報を設定する最終情報設定手段と、
前記画像形成装置にセットされていない使用すべき用紙種類を用いて印刷を実行する前に印刷される用紙の情報である第１の情報を取得する第１の情報取得手段と、
前記第１の情報取得手段によって取得された第１の情報から、前記最終情報設定手段によって設定された情報に対応する用紙以外で、前記画像形成装置にセットされていない用紙種類を用いて印刷を実行した後に印刷されない用紙の情報である第２の情報があるかどうかを判定する第２の判定手段とをさらに備え、
前記表示手段は、前記第２の判定手段によって前記第２の情報があると判定された場合、前記第２の情報に対応する用紙の印刷後に、前記第２の情報に対応する用紙種類を前記画像形成装置にセットされていない用紙へ交換するための情報を表示することを特徴とする請求項２０または２１に記載の情報処理装置。
【請求項２３】
前記表示手段は、前記第２の判定手段によって前記第２の情報がないと判定された場合、前記第１の情報取得手段によって取得された第１の情報に対応する用紙種類のうちで、前記画像形成装置にセットされていない用紙種類を用いて印刷を実行した後に最も遅く印刷される用紙種類を、前記画像形成装置にセットされていない用紙種類の印刷前に印刷した後に、前記画像形成装置にセットされていない用紙種類へ交換するための情報を表示することを特徴とする請求項２２に記載の情報処理装置。
【請求項２４】
前記表示手段は、前記情報取得手段によって取得された使用すべき用紙の順番の情報から、前記画像形成装置にセットされていない用紙種類の印刷前に印刷される用紙種類の情報を取得し、当該取得した情報から前記画像形成装置にセットされていない用紙種類を用いて印刷を実行する直前に印刷される用紙の情報を除いて、用紙交換を行うための情報を表示することを特徴とする請求項２０乃至２３のいずれか１項に記載の情報処理装置。
【請求項２５】
前記表示手段は、予め定められたタイミングで前記画像形成装置にセットされていない複数の用紙種類を交換するための情報を表示することを特徴とする請求項２０乃至２４のいずれか１項に記載の情報処理装置。
【請求項２６】
前記印刷ジョブデータには複数の用紙種類が混在していることを特徴とする請求項２０乃至２５のいずれか１項に記載の情報処理装置。
【請求項２７】
前記表示手段が表示する前記画像形成装置にセットされていない使用すべき用紙種類の交換対象情報とは、前記画像形成装置にセットされている用紙種類または前記画像形成装置にセットされていない使用すべき用紙種類を格納するためのカセット情報であることを特徴とする請求項２０乃至２６のいずれか１項に記載の情報処理装置。
【請求項２８】
画像形成装置において処理可能な印刷ジョブデータを作成可能な情報処理装置の情報処理方法であって、
情報取得手段が、前記印刷ジョブデータを用いて使用すべき用紙種類および使用する用紙種類の順番の情報を取得する情報取得ステップと、
判定手段が、前記情報取得ステップにおいて取得された使用すべき用紙種類が前記画像形成装置にセットされているか否かを判定する判定ステップと、
決定手段が、前記判定ステップにおいて使用すべき用紙種類が前記画像形成装置にセットされていないと判定された場合、前記情報取得ステップにおいて取得された使用する用紙種類の順番に基づいて前記画像形成装置にセットされていない使用すべき用紙種類の交換対象情報を決定する決定ステップと、
表示手段が、前記決定ステップにおいて決定された交換対象情報を用いて、前記画像形成装置にセットされていない使用すべき用紙種類を交換する処理を示す情報を表示する表示ステップと
を備えることを特徴とする情報処理方法。
【請求項２９】
前記表示ステップにおいて表示される情報とは、前記画像形成装置にセットされていない使用すべき用紙種類から前記画像形成装置にセットされている用紙種類へ交換するためのタイミングを示す情報を含むことを特徴とする請求項２８に記載の情報処理方法。
【請求項３０】
最終情報設定手段が、前記判定ステップにおいて使用すべき用紙種類が前記画像形成装置にセットされていないと判定された場合、前記情報取得ステップにおいて取得された使用する用紙種類の順番から、前記画像形成装置に最後にセットされる用紙種類の情報を設定する最終情報設定ステップと、
第１の情報取得手段が、前記画像形成装置にセットされていない使用すべき用紙種類を用いて印刷を実行する前に印刷される用紙の情報である第１の情報を取得する第１の情報取得ステップと、
第２の判定手段が、前記第１の情報取得ステップにおいて取得された第１の情報から、前記最終情報設定ステップにおいて設定された情報に対応する用紙以外で、前記画像形成装置にセットされていない用紙種類を用いて印刷を実行した後に印刷されない用紙の情報である第２の情報があるかどうかを判定する第２の判定ステップとをさらに備え、
前記表示ステップにおいて、前記第２の判定ステップによって前記第２の情報があると判定された場合、前記第２の情報に対応する用紙の印刷後に、前記第２の情報に対応する用紙種類を前記画像形成装置にセットされていない用紙へ交換するための情報を表示することを特徴とする請求項２８または２９に記載の情報処理方法。
【請求項３１】
前記表示ステップにおいて、前記第２の判定ステップによって前記第２の情報がないと判定された場合、前記第１の情報取得ステップによって取得された第１の情報に対応する用紙種類のうちで、前記画像形成装置にセットされていない用紙種類を用いて印刷を実行した後に最も遅く印刷される用紙種類を、前記画像形成装置にセットされていない用紙種類の印刷前に印刷した後に、前記画像形成装置にセットされていない用紙種類へ交換するための情報を表示することを特徴とする請求項３０に記載の情報処理方法。
【請求項３２】
前記表示ステップにおいて、前記情報取得ステップによって取得された使用すべき用紙の順番の情報から、前記画像形成装置にセットされていない用紙種類の印刷前に印刷される用紙種類の情報を取得し、当該取得した情報から前記画像形成装置にセットされていない用紙種類を用いて印刷を実行する直前に印刷される用紙の情報を除いて、用紙交換を行うための情報を表示することを特徴とする請求項２８乃至３１のいずれか１項に記載の情報処理装方法。
【請求項３３】
前記表示ステップにおいて、予め定められたタイミングで前記画像形成装置にセットされていない複数の用紙種類を交換するための情報を表示することを特徴とする請求項２８乃至３２のいずれか１項に記載の情報処理方法。
【請求項３４】
前記印刷ジョブデータには複数の用紙種類が混在していることを特徴とする請求項２８乃至３３のいずれか１項に記載の情報処理方法。
【請求項３５】
前記表示ステップにおいて表示する前記画像形成装置にセットされていない使用すべき用紙種類の交換対象情報とは、前記画像形成装置にセットされている用紙種類または前記画像形成装置にセットされていない使用すべき用紙種類を格納するためのカセット情報であることを特徴とする請求項２８乃至３４のいずれか１項に記載の情報処理方法。
【請求項３６】
請求項２８乃至３５のいずれかに記載の情報処理方法の各ステップをコンピュータに実行させることを特徴とするプログラム。
【手続補正２】
【補正対象書類名】明細書
【補正対象項目名】００１５
【補正方法】変更
【補正の内容】
【００１５】
このような目的を達成するために、本発明の画像形成装置は、複数種類の用紙をセット可能であり用紙交換指示を表示する画像形成装置であって、情報処理装置から送信される印刷ジョブを処理するために必要な用紙種類の使用順番を取得する第１の取得手段と、前記画像形成装置にセットされている用紙種類情報を取得する第２の取得手段と、前記第１の取得手段によって取得された用紙種類の使用順番と前記第２の取得手段によって取得された前記用紙種類情報とに基づいて、前記画像形成装置に新たな用紙種類をセットすべきか否かを判定する第１の判定手段と、前記第１の判定手段が新たな用紙種類をセットすべきと判定した場合、前記第１の取得手段によって取得された用紙種類の使用順番に基づいて、前記新たな用紙種類がセットされる際に使用されない用紙種類から、前記新たな用紙種類との交換対象となる用紙種類を選択する選択手段と、前記選択手段で選択された用紙種類と新たな用紙種類との交換指示を表示する表示制御手段とを備えたことを特徴とする。
【手続補正３】
【補正対象書類名】明細書
【補正対象項目名】００７５
【補正方法】変更
【補正の内容】
【００７５】
コントローラ１２０２は、使用すべき用紙（用紙種類）の順序を認識して、最終フラグを設定する。図１１の例では、最終的にセットされる用紙（用紙種類）は用紙Ａ、Ｆ、Ｅであることがメモリ１２０５に保持されているため、１１０３の用紙Ｂ、１１０４の用紙Ｄ、１１０５の用紙Ｃに対して最終フラグが設定される。この情報もメモリ１２０５へ保持される。以上の処理が図８のＳ８０４の処理となる。
【手続補正４】
【補正対象書類名】図面
【補正対象項目名】図１
【補正方法】変更
【補正の内容】
【図１】
2006289735.tif 000001